(57)【特許請求の範囲】
【請求項１】
植物栽培用ハウスに使用する炭酸ガスおよび温熱発生装置において、前記ハウス内の適所に配置される複数のガスバーナユニットと、前記ハウスの近傍の適所に設置するに適した遠隔コントロールユニットとを備えており、前記ガスバーナユニットの各々は、バーナと、点火手段と、着火検出手段と、前記バーナをガス源に接続するガス接続口と、前記点火手段および着火検出手段に対する入力接続部および出力接続部とを備えており、前記遠隔コントロールユニットは、電源接続部と、前記複数のガスバーナユニットのうちの１つのガスバーナユニットの入力接続部に接続する電気ケーブルと、該電気ケーブルを通して前記ガスバーナユニットへ作動指令を発するための指令手段とを備えており、前記１つのガスバーナユニットの出力接続部と前記複数のガスバーナユニットのうちの他の１つのガスバーナユニットの入力接続部とは、別の電気ケーブルにて接続されており、前記遠隔コントロールユニットの前記指令手段により作動指令を発した時には、前記１つのガスバーナユニットが点火され、該点火が前記着火検出手段により検出された後、前記他の１つのガスバーナユニットが点火され、このようにして、前記複数のガスバーナユニットの各々が次々に点火されていくようにしたことを特徴とする炭酸ガスおよび温熱発生装置。
【請求項２】
前記点火手段は、ヒーター方式である請求項１記載の炭酸ガスおよび温熱発生装置。
【請求項３】
前記複数のガスバーナユニットの次々の点火は、ガス源により近い側のガスバーナユニットから行われるようにした請求項１または２記載の炭酸ガスおよび温熱発生装置。
【請求項４】
前記遠隔コントロールユニットは、タイマーを備えており、前記指令手段により作動指令が発せられた時には、前記タイマーによって設定された時間にて、前記ガスバーナユニットの点火または消火が行われるようにした請求項１または２または３記載の炭酸ガスおよび温熱発生装置。
【請求項５】
前記遠隔コントロールユニットは、温度設定手段と、前記ハウス内に設置された温度センサーからの温度信号を受ける温度信号受信部とを備えており、前記指令手段により作動指令が発せられた時には、前記温度設定手段によって設定された温度と前記温度センサーからの温度信号とを比較して、前記ハウス内の温度が前記設定温度となるように前記ガスバーナユニットの点火または消火が行われるようにした請求項１または２または３または４記載の炭酸ガスおよび温熱発生装置。
【発明の詳細な説明】
【０００１】
【発明の属する技術分野】
本発明は、植物栽培用ハウスに使用する炭酸ガスおよび温熱発生装置に関するものである。
【０００２】
【従来の技術】
近年、苺、メロン等の各種の果物、トマト、キュウリ等の各種の野菜等の植物栽培にビニールハウス等によるハウス栽培が盛んに行われてきている。この種のハウス栽培は、冬場においても、太陽熱を利用することにより、ハウス内の温度を植物栽培に適した温度に保つことができるので、栽培植物の成長を十分に促すことができる。しかし、冬場の夕方から朝方にかけての時間帯や、曇りの日や雨、雪の日には、ハウス内の温度を適温に保つのが難しい。したがって、従来、ハウスには、何らかの加温装置を付属装置として設けていることが多い。この種の加温装置としては、電熱装置のほかに、都市ガス、天然ガスまたはＬＰガスによるガス燃焼装置が用いられている。
【０００３】
一方、最近においては、ハウス内の炭酸ガス濃度を高めると栽培植物、特に、一年ものの栽培植物の光合成作用が促進されて質および収穫量が向上することが分かってきている。そこで、ハウスの付属装置として、加温装置のほかに、炭酸ガス発生装置を備えることも提案されている。この場合において、一般的には、加温装置とは全く別個に、各種の炭酸ガス発生装置を設けている。
【０００４】
【発明が解決しようとする課題】
このように炭酸ガス発生装置を別個に付属させるのでは、それだけハウス全体の価格が高くなるし、その維持費もかさんでしまう。そこで、実開平６−５４３９号公報に開示されるように、ハウス内の炭酸ガス濃度を高めるために、加温装置としてのガス燃焼装置を、炭酸ガス発生装置と見直して栽培植物に見合う制御管理を行なうことが提案されている。
【０００５】
この実開平６−５４３９号公報に開示された炭酸ガス栽培用ＬＰガス燃焼装置は、ハウス内の温度を調整する燃焼装置にリモートボックスを付設し、このリモートボックスに燃焼時間を２４時間以上自由に設定できる自動タイマーを付設し、ハウス内にハウス内の炭酸ガス濃度とハウス内の温度を感知する炭酸ガス濃度センサと温度センサとを設けるようにしたものである。この炭酸ガス栽培用ＬＰガス燃焼装置は、ハウス内の温度を調整する燃焼装置を炭酸ガス発生装置としても兼用するものであり、別個の炭酸ガス発生装置を必要としない点で、装置全体の価格も安価となり、維持費も低減できるものである。
【０００６】
しかし、この従来の炭酸ガス栽培用ＬＰガス燃焼装置は、ハウス内に比較的に大型の燃焼装置を１つだけ設置することを念頭においたものであり、これでは、ハウス内の温度および炭酸ガス濃度を均一に保つためには、効率的でなく、比較的に大容量の燃焼装置が必要とされてしまう。１つの燃焼装置によりハウス内の温度および炭酸ガス濃度を均一に保つために、燃焼装置には、ファンを設ける必要があり、それだけ、燃焼装置の構造が複雑となり、制御も難しくなっていた。
【０００７】
本発明の目的は、前述したような従来技術の問題点を解消しうるようなハウス遠隔操作炭酸ガスおよび温熱発生装置を提供することである。
【０００８】
【課題を解決するための手段】
本発明による炭酸ガスおよび温熱発生装置は、ハウス内の適所に配置される複数のガスバーナユニットと、前記ハウスの近傍の適所に設置するに適した遠隔コントロールユニットとを備えており、前記ガスバーナユニットの各々は、バーナと、点火手段と、着火検出手段と、前記バーナをガス源に接続するガス接続口と、前記点火手段および着火検出手段に対する入力接続部および出力接続部とを備えており、前記遠隔コントロールユニットは、電源接続部と、前記複数のガスバーナユニットのうちの１つのガスバーナユニットの入力接続部に接続する電気ケーブルと、該電気ケーブルを通して前記ガスバーナユニットへ作動指令を発するための指令手段とを備えており、前記１つのガスバーナユニットの出力接続部と前記複数のガスバーナユニットのうちの他の１つのガスバーナユニットの入力接続部とは、別の電気ケーブルにて接続されており、前記遠隔コントロールユニットの前記指令手段により作動指令を発した時には、前記１つのガスバーナユニットが点火され、該点火が前記着火検出手段により検出された後、前記他の１つのガスバーナユニットが点火され、このようにして、前記複数のガスバーナユニットの各々が次々に点火されていくようにしたことを特徴とする。
【０００９】
本発明の好ましい実施例によれば、前記点火手段は、ヒーター方式である。
【００１０】
本発明の別の好ましい実施例によれば、前記複数のガスバーナユニットの次々の点火は、ガス源により近い側のガスバーナユニットから行われるようにする。
【００１１】
本発明のさらに別の好ましい実施例によれば、前記遠隔コントロールユニットは、タイマーを備えており、前記指令手段により作動指令が発せられた時には、前記タイマーによって設定された時間にて、前記ガスバーナユニットの点火または消火が行われるようにする。
【００１２】
本発明のさらに別の好ましい実施例によれば、前記遠隔コントロールユニットは、温度設定手段と、前記ハウス内に設置された温度センサーからの温度信号を受ける温度信号受信部とを備えており、前記指令手段により作動指令が発せられた時には、前記温度設定手段によって設定された温度と前記温度センサーからの温度信号とを比較して、前記ハウス内の温度が前記設定温度となるように前記ガスバーナユニットの点火または消火が行われるようにする。
【００１３】
【発明の実施の形態】
次に、添付図面に基づいて、本発明の実施例について本発明をより詳細に説明する。
【００１４】
図１は、本発明の一実施例としての炭酸ガスおよび温熱発生装置を苺栽培ハウスに適用した状態を模式的に示している。この例では、５０ｍ程度の４棟のハウス１Ａ、１Ｂ、１Ｃおよび１Ｄに、本発明の一実施例としての炭酸ガスおよび温熱発生装置が適用されており、各ハウスに適用された炭酸ガスおよび温熱発生装置は、４つのガスバーナユニット１０と、遠隔コントロールユニット２０とを備えている。各ガスバーナユニット１０Ａ、Ｂ、ＣおよびＤは、ハウス１Ａ、１Ｂ、１Ｃおよび１Ｄの各々の内部にて適所に分散配置されている。この実施例では、ガスバーナユニット１０は、ＬＰガス燃焼用のものであり、各ハウスの近傍には、ＬＰガスボンベ３０が配設されている。
【００１５】
図２は、図１の例にて使用している本発明の炭酸ガスおよび温熱発生装置を構成するガスバーナユニット１０の一つと、遠隔コントロールユニット２０との全体構造を示す概略斜視図である。図３は、図２に示したガスバーナユニット１０の平面図であり、図４は、その正面図であり、図５は、その側面図である。図３、図４および図５に示されるように、ガスバーナユニット１０は、ハウジング１１を備えており、ハウジング１１には、空気孔１２Ａを有したバーナカバー１２によって取り囲まれるようにして、バーナ１３が配置されている。バーナ１３に近接して点火ヒータ１４が配置されている。ハウジング１１の一方の側面には、バーナ１３をＬＰガスボンベ等のガス源に接続するためのガス接続口１５が設けられている。図には表れていないが、バーナ１３の近傍には、炎検知センサの如き着火検出手段が配置されている。この着火検出手段は、点火ヒータ１４により、バーナ１３が点火されて、炎が存在することを検知して、着火信号を発生するものである。ハウジング１１の側面には、点火ヒータ１４および着火検出手段に対する入力接続部１６および出力接続部１７も設けられている。
【００１６】
図６は、図１において各ハウスに対して設置された炭酸ガスおよび温熱発生装置の一つの詳細構成を示している。図６に示すように、遠隔コントロールユニット２０は、ハウス内に配置された４つのガスバーナユニット１０のガス燃焼を制御するために、そのハウスの外部で、ハウスの近くに配置される。すなわち、遠隔コントロールユニット２０が、防滴仕様とされている場合には、ハウス入口に設置することができ、また、防滴仕様でない場合には、ハウス内に設置する方が、雨等の影響を受けにくいので好ましい。
【００１７】
この遠隔コントロールユニット２０は、例えば、ＡＣ１００Ｖ電源に接続するための電源接続ケーブルおよびプラグ２１を備えている。また、遠隔コントロールユニット２０には、タイマーおよび温度設定手段が設けられており、電源スイッチ２２、時計スイッチ２３および温調スイッチ２４も設けられている。さらに、遠隔コントロールユニット２０には、時間表示部２５、温度表示部２６、点火表示ランプ２７および異常表示ランプ２８も設けられている。この実施例では、ハウス内の温度を検知するためにハウス内の適所に配置された温度センサー５０からの温度信号を受信するための受信部２９も設けられている。この受信部２９には、ハウス内に配置された温度センサー５０から延びる電気ケーブルが接続される。さらにまた、遠隔コントロールユニット２０には、ガスバーナユニット１０のための点火信号等の制御信号を送信するための付属の電気ケーブル４０Ａを接続するための電気ケーブル接続部４０も設けられている。
【００１８】
なお、この実施例では、設けていないが、ハウス内に炭酸ガス濃度検出センサーを配置しておき、このセンサーからの炭酸ガス濃度信号を受けて、遠隔コントロールユニットにより、ガスバーナユニットの燃焼を制御することにより、ハウス内の炭酸ガス濃度を制御するようにすることもできる。また、遠隔コントローラユニット２０には、別に端子台を設けておき、サブハウス棟のガスバーナユニットを制御するサブコントロール６０を付設することもできる。
【００１９】
遠隔コントロールユニット２０に一番近いハウス内のガスバーナユニット１０Ａの入力接続部１６に、遠隔コントロールユニット２０からの電気ケーブル４０Ａを接続する。電気ケーブル４０Ａは、両端に接続コネクタ４１Ａおよび４２Ａを備えており、接続コネクタ４１Ａを、遠隔コントロールユニット２０の電気ケーブル接続部４０に嵌合させ、接続コネクタ４２Ａをガスバーナユニット１０Ａの入力接続部１６に嵌合させることにより、遠隔コントロールユニット２０とガスバーナユニット１０Ａとの間の制御信号の伝送を可能とすることができる。
【００２０】
ハウス内に配置されていて遠隔コントロールユニット２０に次に近いガスバーナユニット１０Ｂは、別の付属の電気ケーブル４０Ｂを用いて、ガスバーナユニット１０Ａと相互に接続される。すなわち、電気ケーブル４０Ｂの両端には、接続コネクタ４１Ｂおよび４２Ｂを備えており、接続コネクタ４１Ｂを、ガスバーナユニット１０Ａの出力接続部１７に嵌合させ、接続コネクタ４２Ｂをガスバーナユニット１０Ｂの入力接続部１６に嵌合させることによって、ガスバーナユニット１０Ａを介して遠隔コントロールユニット２０とガスバーナユニット１０Ｂとの間の制御信号の伝送を可能とすることができる。
【００２１】
また、ハウス内に配置されていて遠隔コントロールユニット２０にその次に近いガスバーナユニット１０Ｃは、別の付属の電気ケーブル４０Ｃを用いて、ガスバーナユニット１０Ｂと相互に接続される。すなわち、電気ケーブル４０Ｃの両端には、接続コネクタ４１Ｃおよび４２Ｃを備えており、接続コネクタ４１Ｃを、ガスバーナユニット１０Ｂの出力接続部１７に嵌合させ、接続コネクタ４２Ｃをガスバーナユニット１０Ｃの入力接続部１６に嵌合させることによって、ガスバーナユニット１０Ａおよびガスバーナユニット１０Ｂを介して遠隔コントロールユニット２０とガスバーナユニット１０Ｃとの間の制御信号の伝送を可能とすることができる。
【００２２】
さらにまた、ハウス内に配置されていて遠隔コントロールユニット２０から最も遠いガスバーナユニット１０Ｄは、別の付属の電気ケーブル４０Ｄを用いて、ガスバーナユニット１０Ｃと相互に接続される。すなわち、電気ケーブル４０Ｄの両端には、接続コネクタ４１Ｄおよび４２Ｄを備えており、接続コネクタ４１Ｄを、ガスバーナユニット１０Ｃの出力接続部１７に嵌合させ、接続コネクタ４２Ｄをガスバーナユニット１０Ｄの入力接続部１６に嵌合させることによって、ガスバーナユニット１０Ａ、ガスバーナユニット１０Ｂおよびガスバーナユニット１０Ｃを介して遠隔コントロールユニット２０とガスバーナユニット１０Ｄとの間の制御信号の伝送を可能とすることができる。なお、最後のガスバーナユニット１０Ｄの出力接続部１７には、付属のジャンパーコネクタ４３が嵌合接続される。各ガスバーナユニット１０のガス接続口１５に、ガス源であるＬＰガスボンベ３０からのガス配管を接続する。
【００２３】
次に、このような全体構成を有する本発明の炭酸ガスおよび温熱発生装置の動作について説明する。この炭酸ガスおよび温熱発生装置を作動させるためには、まず、遠隔コントロールユニット２０のすべてのスイッチをオフにして、遠隔コントロールユニット２０の電源接続ケーブルおよびプラグ２１を、ＡＣ１００Ｖ電源コンセントに差し込む。電源スイッチ２２をオンすると、温度設定手段およびタイマーの電源が入り、電源ランプが点灯する。温度設定手段およびタイマーにて、それぞれハウス内温度およびガスバーナユニットの燃焼時間を設定する。設定温度は、温度表示部２６に表示され、設定時間は、時間表示部２５に表示される。ガスボンベ３０の元栓を開いておく。
【００２４】
今、時計スイッチ２３はオンせずに、温調スイッチ２４をオンすると、ハウス内が設定温度以下ならば、ただちに点火動作となる。すなわち、ハウス内の温度を検出する温度センサー５０からの温度信号と温度設定手段に設定された設定温度とが、遠隔コントロールユニット２０にて比較されて、ハウス内の温度が設定温度よりも低いことが検出されると、電気ケーブル４０Ａを通してガスバーナユニット１０Ａに点火信号が送られて、先ず、このガスバーナユニット１０Ａの点火ヒータ１４にてバーナ１３が点火され、ガス燃焼が開始される。すると、バーナ１３の炎の存在が着火検出手段によって検知されて着火信号が出され、この着火信号が電気ケーブル４０Ｂにて次のガスバーナユニット１０Ｂの入力接続部１６に送られることにより、ガスバーナユニット１０Ｂの点火ヒータ１４によりバーナ１３が点火され、ガス燃焼が開始される。すると、同様に、ガスバーナユニット１０Ｂのバーナ１３の炎の存在が着火検出手段によって検知されて着火信号が出され、この着火信号が電気ケーブル４０Ｃにて次のガスバーナユニット１０Ｃの入力接続部１６に送られることにより、ガスバーナユニット１０Ｃの点火ヒータ１４によりバーナ１３が点火され、ガス燃焼が開始される。次に、同様に、ガスバーナユニット１０Ｃのバーナ１３の炎の存在が着火検出手段によって検知されて着火信号が出され、この着火信号が電気ケーブル４０Ｄにて次のガスバーナユニット１０Ｄの入力接続部１６に送られることにより、ガスバーナユニット１０Ｃの点火ヒータ１４によりバーナ１３が点火され、ガス燃焼が開始される。このようにして、１つのハウス内の適所に分散配置された４つのガスバーナユニット１０Ａ、１０Ｂ、１０Ｃ、１０Ｄは、前のユニットの着火信号により次々に点火されていくので、ガスの供給をスムースにでき、点火がし易くなっている。また、これは、点火時の電流を少なくできる点でも有利である。その上、ガス点火は、ヒータ方式により錆や湿気に強く、確実な点火を行なうことができる。
【００２５】
次に、温調スイッチ２４をオンせず、時計スイッチ２３をオンする場合には、タイマーによって設定された時間にて、前述したような４つのガスバーナユニット１０Ａ、１０Ｂ、１０Ｃ、１０Ｄが次々に点火開始させられ、または、消火が行われる。
【００２６】
また、温調スイッチ２４および時計スイッチ２３を共にオンした場合には、タイマーによって設定された時間内にて、前述したような温調による点火動作が行われる。
【００２７】
最後のガスバーナユニットが点火ＯＫになると、点火ランプ２７が点灯しっぱなしになる。点火ランプ２７が点灯しても、異常が発生すると、異常ランプ２８が瞬時点滅し再点滅し再点火動作を実行する。また、立ち消え防止装置を設けておくことにより、寒気時、接続時のエアー混入、風等で立ち消えを異常ランプ２８により、知らせることで、ガスをカットし、異常を防止できる。さらにまた、この実施例では、冬季時の点火しにくい条件を解決するため、ガスボンベに近いガスバーナユニットから点火するようにしている。
【００２８】
なお、前述した実施例では、ガス源としてＬＰガスボンベを使用しているが、本発明は、これに限らず、都市ガス、天然ガス等をガス源としても、同様に適用しうるものである。遠隔コントロールユニットのためのＡＣ１００Ｖ電源のない場所では、バッテリー運転も可能である。また、各ガスバーナユニットにバイパス回路を設けておくことにより、停電時に、そのバイパス回路のコックを開き、マッチ点火ができるようにしておくこともできる。
【００２９】
【発明の効果】
ガスバーナユニットを温熱発生装置としてだけでなく、炭酸ガス発生装置として兼用し、しかも複数個のガスバーナユニットに分けて、ハウス内の適所に分散配置できる構成としたので、非常に効率的にハウス内の温度および炭酸ガス濃度を均一に保持でき、装置全体としての価格を低減でき、しかも、その維持管理費も低減できる。
【００３０】
ハウスの近傍に配置した遠隔コントロールユニットの電源スイッチを、例えば、夕方、ハウスを閉めにいった時に、オンしていくだけで、ハウス内のガスバーナユニットを順次点火していくことができ、温度をセットしておけば、設定温度以下になっても、自動的にその温度まで上げられるので、ハウスの管理者の手間を相当に省くことができる。
【００３１】
ガスバーナユニットは、取り外し簡単なユニット方式になっており、各ガスバーナユニットの配線は、コネクタ式付属電気ケーブルでシリーズに接続できるので、ハウス内セットの台数は、夏期時、及びハウス張り替え時のガスバーナユニットの取付け、取り外しが簡単にできる。
【図面の簡単な説明】
【図１】本発明の一実施例としての炭酸ガスおよび温熱発生装置を苺栽培ハウスに適用した状態で示す模式図である。
【図２】図１の例にて使用している本発明の炭酸ガスおよび温熱発生装置を構成するガスバーナユニットの一つと、遠隔コントロールユニットとの全体構造を示す概略斜視図である。
【図３】図２に示したガスバーナユニットの平面図である。
【図４】図２に示したガスバーナユニットの正面図である。
【図５】図２に示したガスバーナユニットの側面図である。
【図６】図１において各ハウスに対して設置された炭酸ガスおよび温熱発生装置の一つの詳細構成を示す図である。
【符号の説明】
１Ａ  ハウス
１Ｂ  ハウス
１Ｃ  ハウス
１Ｄ  ハウス
１０Ａ  ガスバーナユニット
１０Ｂ  ガスバーナユニット
１０Ｃ  ガスバーナユニット
１０Ｄ  ガスバーナユニット
１１  ハウジング
１２  バーナカバー
１３  バーナ
１４  点火ヒータ
２０  遠隔コントロールユニット
３０  ＬＰガスボンベ
４０Ａ  付属電気ケーブル
４０Ｂ  付属電気ケーブル
４０Ｃ  付属電気ケーブル
４０Ｄ  付属電気ケーブル
【図１】
0003737590.tif 000002
【図２】
0003737590.tif 000003
【図３】
0003737590.tif 000004
【図４】
0003737590.tif 000005
【図５】
0003737590.tif 000006
【図６】
0003737590.tif 000007